(57)【特許請求の範囲】
【請求項１】
ドアの内壁面に固定される室内側装飾板本体と、前記ドアの外壁面に固定される室外側装飾板本体と、前記室内側装飾板本体と前記室外側装飾板本体とを前記ドアを挟んで連結するように前記室内側装飾板本体の外側から挿入される固定用ネジと、前記室内側装飾板本体の内部に配置されて前記固定用ネジの締め付け荷重による前記室内側装飾板本体の撓みを抑制する補強ブロック部材と、を備えたドア用錠前のエスカチオンにおいて、
前記室内側装飾板本体は、前記ドアの内壁面に接触する金属製の装飾ベース部材と、該装飾ベース部材の表面を覆う非導電性の装飾カバー部材とで構成され、
前記補強ブロック部材には前記固定用ネジと前記装飾ベース部材とに跨って接触する金属製のアース部材が設けられ、
ていることを特徴とするドア用錠前のエスカチオン。
【請求項２】
前記アース部材は、前記固定用ネジのネジ部と接触するように該固定用ネジが貫通する前記補強ブロック部材の貫通穴に配設される弾性接触舌片部と、該弾性接触舌片部と一体に形成されて前記装飾ベース部材の内面と接触する本体接触舌片部とを備えている請求項１に記載のドア用錠前のエスカチオン。
【発明の詳細な説明】
【技術分野】
【０００１】
本発明は、ドア用錠前のエスカチオンに関し、例えば、ホテルの各客室用ドアにそれぞれ取り付けられたドア用錠前のエスカチオンに関する。
【背景技術】
【０００２】
近年のホテルの各客室用ドアにあっては、シリンダーキー方式のドア用錠前では、客室番号を示すキーホルダーが大型化してしまう上、紛失やマスターキーの管理といった利便性の不具合から、磁気カードやＩＣカードを利用したものが普及しつつある（例えば、特許文献１参照）。
【０００３】
図８及び図９は、このようなカード方式のドア用錠前の一例を示し、図８は廊下側（室外側）から見たドア要部の斜視図、図９は客室側（室内側）から見たドア要部の斜視図である。
【０００４】
尚、当業者用語としての「エスカチオン」は、普通一般にドアに取り付けられた錠前の機構をカバーする装飾板としての意味合いを有する。
【０００５】
図８において、客室と廊下との間を区画・連通するドア１の扉木口２には、フロント板３が固定されていると共に、このフロント板３の表面から常時は突出してドア開口縁部に設けられた係合穴（図示せず）と係合することによりドア閉成状態を維持するためのラッチボルト４と、フロント板３の表面から常時は埋没し且つ突出したときにドア開口縁部に設けられたロック穴（図示せず）と係合することによりドアロック状態を維持するための錠ボルトであるデッドボルト５と、が設けられている。
【０００６】
また、ドア１の室外側には、カードキーとしての磁気カード６を挿入するカード挿入口７ａを形成した室外側装飾板本体７と、この室外側装飾板本体７の上下開口端を閉成するキャップ８，９と、ドア１の開閉操作並びにラッチボルト４の出没操作を行うためのレバーハンドル１０またはノブと、を備えている。
【０００７】
図９において、ドア１の室内側には、室内側装飾板本体１１と、この室内側装飾板本体１１の上下開口端を閉成するキャップ１２，１３と、ドア１の開閉操作並びにラッチボルト４の出没操作を行うためのレバーハンドル１４と、デッドボルト５によるドアロック・アンロックを操作するサムターン１５と、を備えている。
【０００８】
室内側装飾板本体１１の内部には、図示を略するが、磁気カード６の読取装置、磁気カード６の読み取りに連動したデッドボルト５のドアロック・アンロックを実行するロック機構部、電源（バッテリ）、制御回路部等が設けられている。さらに、室内側装飾板本体１１には、ドア１を貫通して室外側装飾板本体７の裏面側に設けられた雌ネジ部（図示せず）と螺合することでドア１を挟むように室内側装飾板本体１１と室外側装飾板本体７とをドア１に固定するための固定用ネジ１６が設けられている。
【０００９】
また、室外側装飾板本体７と室内側装飾板本体１１とは、一般的に、金属製の装飾ベース部材を樹脂製の装飾カバー部材で覆っているものが多い。これは、室外側装飾板本体７及び室内側装飾板本体１１の軽量化に貢献すると共に、装飾カバー部材の色を変えることにより、ドア１の色やデザインに応じて見掛け上の色合い（例えば、金・銀・銅製）を容易に確保して意匠性を確保するためである。
【先行技術文献】
【特許文献】
【００１０】
【特許文献１】特許第４１１１７５９号公報
【発明の概要】
【発明が解決しようとする課題】
【００１１】
しかしながら、上記した従来のドア用錠前のエスカチオンでは、固定用ネジ１６の頭部と樹脂製の装飾カバーで覆われた室内側装飾板本体１１の表面との間で導通が取れないため、この部分で発生した静電気が一要因となってエスカチオンの静電ノイズの値が規定値を満たすことができず、室内側装飾板本体１１の内部の各種電気部品に悪影響を及ぼすおそれがあるといった問題が生じていた。
【００１２】
本発明は、上記した課題を解決すべくなされたものであり、固定用ネジを利用してアース回路を形成することにより、静電ノイズをエスカチオンに効率良く分散することができるドア用錠前のエスカチオンを提供することを目的とする。
【課題を解決するための手段】
【００１３】
本発明のドア用錠前のエスカチオンは、ドアの内壁面に固定される室内側装飾板本体と、前記ドアの外壁面に固定される室外側装飾板本体と、前記室内側装飾板本体と前記室外側装飾板本体とを前記ドアを挟んで連結するように前記室内側装飾板本体の外側から挿入される一つの固定用ネジと、前記室内側装飾板本体の内部に配置されて前記固定用ネジの締め付け荷重によって前記室内側装飾板本体の撓みを抑制する補強ブロック部材と、を備えたドア用錠前のエスカチオンにおいて、前記室内側装飾板本体は、前記ドアの内壁面に接触する金属製の装飾ベース部材と、該装飾ベース部材の表面を覆う非導電性の装飾カバー部材とで構成され、前記補強ブロック部材には前記固定用ネジと前記装飾ベース部材とに跨って接触する金属製のアース部材が設けられていることを特徴とする。
【００１４】
そして、本発明のドア用錠前のエスカチオンの前記アース部材は、前記固定用ネジのネジ部と接触するように該固定用ネジが貫通する前記補強ブロック部材の貫通穴に配設される弾性接触舌片部と、該弾性接触舌片部と一体に形成されて前記装飾ベース部材の内面と接触する本体接触舌片部とを備えているのが好ましい。
【発明の効果】
【００１５】
本発明のドア用錠前のエスカチオンによれば、固定用ネジを利用してアース回路を形成することにより、静電ノイズをエスカチオンに効率良く分散することができる。
【図面の簡単な説明】
【００１６】
【図１】本発明の一実施形態に係るドア用錠前のエスカチオンの正面図である。
【図２】本発明の一実施形態に係るドア用錠前のエスカチオンの要部の断面図である。
【図３】本発明の一実施形態に係るドア用錠前のエスカチオンの背面図である。
【図４】本発明の一実施形態に係るドア用錠前のエスカチオンに適用される補強ブロック部材を示し、（Ａ）は補強ブロック部材の拡大正面図、（Ｂ）はアース部材装着状態の補強ブロック部材の拡大正面図である。
【図５】本発明の一実施形態に係るドア用錠前のエスカチオンの要部の拡大縦断面図である。
【図６】本発明の一実施形態に係るドア用錠前のエスカチオンの要部の拡大平断面図である。
【図７】本発明の一実施形態に係るドア用錠前のエスカチオンに適用されるアース部材を示し、（Ａ）は補強ブロック部材への装着状態を基準とするアース部材の正面図、（Ｂ）は補強ブロック部材への装着状態を基準とするアース部材の縦断面図、（Ｃ）は補強ブロック部材への装着状態を基準とするアース部材の平断面図である。
【図８】従来のドア用錠前のエスカチオンを示し、室外側エスカチオンを含むドア要部の斜視図である。
【図９】従来のドア用錠前のエスカチオンを示し、室内側エスカチオンを含むドア要部の斜視図である。
【発明を実施するための形態】
【００１７】
次に、本発明の一実施形態に係るドア用錠前のエスカチオンについて、図面を参照して説明する。ここで、図１は本発明の一実施形態に係るドア用錠前のエスカチオンの正面図、図２は本発明の一実施形態に係るドア用錠前のエスカチオンの要部の断面図、図３は本発明の一実施形態に係るドア用錠前のエスカチオンの背面図、図４は本発明の一実施形態に係るドア用錠前のエスカチオンに適用される補強ブロック部材を示し、図４（Ａ）は補強ブロック部材の拡大正面図、図４（Ｂ）はアース部材装着状態の補強ブロック部材の拡大正面図、図５は本発明の一実施形態に係るドア用錠前のエスカチオンの要部の拡大縦断面図、図６は本発明の一実施形態に係るドア用錠前のエスカチオンの要部の拡大平断面図、図７は本発明の一実施形態に係るドア用錠前のエスカチオンに適用されるアース部材を示し、図７（Ａ）は補強ブロック部材への装着状態を基準とするアース部材の正面図、図７（Ｂ）は補強ブロック部材への装着状態を基準とするアース部材の縦断面図、図７（Ｃ）は補強ブロック部材への装着状態を基準とするアース部材の平断面図である。
【００１８】
尚、以下に示す実施例は本発明のドア用錠前のエスカチオンにおける好適な具体例であり、技術的に好ましい種々の限定を付している場合もあるが、本発明の技術範囲は、特に本発明を限定する記載がない限り、これらの態様に限定されるものではない。また、本実施の形態においては、室内側に配置されたエスカチオンに特化して説明し、室外側のエスカチオン及びドアロック・アンロックの具体的な構成は公知の技術のものを適宜適用することができるものとする。
【００１９】
図１及び図２に示すように、本実施の形態に係るエスカチオン２０は、上下に開口端を有する室内側装飾板本体２１と、室内側装飾板本体２１の上下開口端をそれぞれ閉成するキャップ２２，２３と、ドア１の開閉操作並びにラッチボルト（図示せず）の出没操作を行うためのレバーハンドル２４（回動軸部分のみ図示）と、デッドボルト（図示せず）によるドアロック・アンロックを室内側から操作するサムターン２５とを備えている。また、室内側装飾板本体２１の内部には、図示を略するが、カードキー（例えば、ＩＣカードや磁気カード）の読取装置、カードキーの読み取りに連動したデッドボルトのドアロック・アンロックを実行するロック機構部、制御回路部等が設けられている。さらに、室内側装飾板本体２１には、ドア１（図２にのみ図示）を貫通して室外側装飾板本体（図示せず）の裏面側に設けられた雌ネジ部（図示せず）と螺合することでドア１を挟むように室内側装飾板本体２１と室外側装飾板本体とをドア１に固定するための固定用ネジ１６が設けられている。
【００２０】
室内側装飾板本体２１は、ドア１とで閉断面を形成するように水平断面方向コ字形状とされた金属製の装飾ベース部材２６と、装飾ベース部材２６を覆う非導電性(例えば、樹脂製)の装飾カバー部材２７とを備えており、装飾カバー部材２７を樹脂等で形成することにより、室内側装飾板本体２１の軽量化並びに意匠性（例えば、金・銀・銅製風）の向上を図っている。
【００２１】
室内側装飾板本体２１の上端開口を閉成するキャップ２２には、装飾ベース部材２６に形成された被係合部２６ａと係合するランス状の係合脚部２８と、例えば、電源として４本の単三電池（図示せず）を収納するバッテリケース２９が設けられている。
【００２２】
バッテリケース２９は、正面に開放する樹脂製のバッテリベース３０と、バッテリベース３０の正面開放端を閉成するカバー３１と、４本の単三電池（図示せず）を電気的接続状態で支持する導電性金属プレートからなるホルダ３２と、ホルダ３２に一端が接続された配線コード３３とを備えている。また、バッテリベース３０の下端は固定用ボルト１６に固定され、バッテリベース３０の上端はキャップ２２に形成された雌ネジ部２２ａ（図３参照）に螺合するネジ３４を介してキャップ２２に固定される。さらに、カバー３１の上端はタッピングネジ３５を介してバッテリベース３０に固定されている。また、カバー３１の下端には、バッテリベース３０の下端外壁面に形成されたガイド溝３０ａと係合する軸部３１ａが形成されており、カバー３１は、この軸部３１ａによって、図２の実線（断面）に示す正面開放端閉成状態と、図２の鎖線で示す正面開放端開放状態（単三電池交換状態）とに回動可能となっている。
【００２３】
一方、上述した配線コード３３は、図３に示すように、捻り状態で室内側装飾板本体２１の内部にまで配索され、その先端（他端）には、制御回路等に電源供給するためのコネクタ３６が設けられている。
【００２４】
なお、本実施の形態においては必ずしも設置しなくても構わないが、室内側装飾板本体２１の下端開口を閉成するキャップ２３には、例えば、背景技術で説明した既設のエスカチオンのように、電源として４本の単三電池（図示せず）を収納するバッテリホルダ３８が設けられていてもよい。この場合、コネクタ３６は既設のバッテリホルダ３８のコネクタ（図示せず）とで接続端を交換することで電源供給を行うことができる。また、バッテリホルダ３８は、例えば、結露が発生し易い時期にはバッテリケース２９を用いて電源供給を行い、結露が発生し難い時期にはバッテリホルダ３８を用いるといったように併用することも可能である。
【００２５】
また、固定用ネジ１６は、室内側装飾板本体２１の内部に設けられた補強ブロック部材３９を貫通している。この補強ブロック部材３９は、固定用ネジ１６の締め付け荷重に伴う室内側装飾板本体２１の潰れ方向の変形を防止するものであり、図４（Ａ）及び（Ｂ）に示すように、固定用ネジ１６が貫通する貫通穴３９ａを形成したブロックベース部３９ｂと、ブロックベース部３９ｂの両端に位置する一対の弾性脚部３９ｃ，３９ｃと、金属製のアース部材４０を支持する支持部３９ｄとを一体に備えている。
【００２６】
弾性脚部３９ｃ，３９ｃは、装飾ベース部材２６の両側面の内壁に弾接することによって補強ブロック部材３９の左右位置決めや回り止めを行うと共に、装飾ベース部材２６の幅が異なる場合への部品共通化に貢献している。
【００２７】
アース部材４０は、図５乃至図７に示すように、固定用ネジ１６のネジ部と接触するように補強ブロック部材３９の貫通穴３９ａに位置する弾性接触舌片部４０ａと、弾性接触舌片部４０ａと一体に形成されて補強ブロック部材３９の支持部３９ｄに支持される正面視コ字形状の本体部４０ｂと、本体部４０ｂから切り起しによって形成されて支持部３９ｄの縦壁間に噛み合うことでアース部材４０の抜け止めを行う係止爪４０ｃと、支持部３９ｄの正面座部３９ｅに位置して装飾ベース部材２６の内面と接触する本体接触舌片部４０ｄとが一体に形成されて構成されている。
【００２８】
このように上記した構成を備えた本実施の形態に係るドア用錠前のエスカチオン２０において、固定用ネジ１６を室内側装飾板本体２１の外側から挿入すると、そのネジ部が弾性接触舌片部４０ａに接触する。そして、この弾性接触舌片部４０ａには、金属製の装飾ベース部材２６の内面と接触する本体接触舌片部４０ｄが一体に形成されているため、固定用ネジ１６に印加された静電気は固定用ネジ１６からアース部材４０を介して装飾ベース部材２６に効率良く分散される。これにより、本実施の形態に係るエスカチオン２０の静電ノイズの値は規定値を満たすことができ、静電ノイズが室内側装飾板本体１１の内部の各種電気部品に悪影響を及ぼすのを確実に防止することができ、エスカチオン２０の耐久性を高めることができる。
【符号の説明】
【００２９】
１…ドア
１６…固定用ネジ
２０…エスカチオン
２１…室内側装飾板本体
２６…装飾ベース部材
２７…装飾カバー部材
３９…補強ブロック部材
３９ａ…貫通穴
３９ｂ…ブロックベース部
３９ｃ…弾性脚部
３９ｄ…支持部
３９ｅ…正面座部
４０…アース部材
４０ａ…弾性接触舌片部
４０ｂ…本体部
４０ｃ…係止爪
４０ｄ…本体接触舌片部
【図１】
0005432010.tif 000002
【図２】
0005432010.tif 000003
【図３】
0005432010.tif 000004
【図４】
0005432010.tif 000005
【図５】
0005432010.tif 000006
【図６】
0005432010.tif 000007
【図７】
0005432010.tif 000008
【図８】
0005432010.tif 000009
【図９】
0005432010.tif 000010